(57)【要約】      （修正有）【課題】モータリード線の絶縁と整理整頓を確実に行えるようにしたモータの配線カバーを提供する。【解決手段】配線カバー９は、配線回路基板７の突出部Ｔ正面から該配線回路基板７の突出部Ｔ両側縁に差込む差込溝９１と、配線回路基板７の突出部Ｔに位置するモータリード線Ｌの金属接続部Ｐを覆う絶縁性カバー部９２と、モータリード線Ｌを嵌め込み固定するリード線固定溝と、モータに形成されている係合凹部２０に引っ掛かる係合爪９４とを備えて構成される。【選択図】図１
0003162280.tif 000002
【実用新案登録請求の範囲】
【請求項１】
外部に突出した配線回路基板を有するモータの配線カバーであって、
前記配線カバーは、
前記配線回路基板の突出部正面から該配線回路基板の突出部両側縁に差込む差込溝と、
前記配線回路基板の突出部に位置するモータリード線の金属接続部を覆う絶縁性カバー部と、
前記モータリード線を嵌め込み固定するリード線固定溝と、
前記モータに形成されている係合凹部に引っ掛かる係合爪と、を備えてなること
を特徴とするモータの配線カバー。
【考案の詳細な説明】
【技術分野】
【０００１】
本考案は、外部に突出した配線回路基板を有するモータの配線カバーに関し、特に、モータリード線の金属接続部と他部材との絶縁や、モータリード線の整理整頓を確実に行えるようにしたものである。
【背景技術】
【０００２】
図３（ａ）は、外部に突出した配線回路基板を有するモータの一例として、アウターロータ型モータの固定子の断面図を示したものであり、同図（ｂ）はＢ矢視図である。この図３（ａ）のアウターロータ型モータの固定子は、モータブラケット２内面に界磁鉄心からなるステータ３を立設し、そのステータ３の外周面に複数（本例では４つ）のコア４を設けるとともに、これらのコア４にコイル５を巻き付けた構造になっている。
【０００３】
また、モータブラケット２内面には配線回路基板７が設けられており、この配線回路基板７はその一部がモータブラケット２から外部に突出し、その突出した配線回路基板の部分（配線回路基板の突出部Ｔ）にはランド部６Ａが複数設けられ、これらのランド部６Ａにモータリード線が半田付け等により接続されている。
【０００４】
以上のように外部に突出した配線回路基板７を有するモータにあっては、配線回路基板７の突出部Ｔに位置するモータリード線Ｌの金属接続部Ｐが他部材と接触するおそれがあり、他部材が金属であるとショートの問題が生じる。また、モータリード線Ｌがばらつき易く、モータリード線の取扱い性が悪いという問題点がある。
【考案の概要】
【考案が解決しようとする課題】
【０００５】
本考案は前記問題点を解決するためになされたものであり、その目的は、モータリード線の金属接続部と他部材との絶縁や、モータリード線の整理整頓を確実に行えるようにしたモータの配線カバーを提供することである。
【課題を解決するための手段】
【０００６】
前記目的を達成するために、本考案は、外部に突出した配線回路基板を有するモータの配線カバーであって、前記配線カバーは、前記配線回路基板の突出部正面から該配線回路基板の突出部両側縁に差込む差込溝と、前記配線回路基板の突出部に位置するモータリード線の金属接続部を覆う絶縁性カバー部と、前記モータリード線を嵌め込み固定するリード線固定溝と、前記モータに形成されている係合凹部に引っ掛かる係合爪と、を備えてなることを特徴とする。
【考案の効果】
【０００７】
本考案に係る配線カバーにあっては、配線回路基板の突出部正面から該配線回路基板の突出部両側縁に差込溝を差込むことによって配線カバーをモータに取り付けたとき、絶縁性カバー部がモータリード線の金属接続部を覆うことにより金属接続部への他部材の接触が防止されること、及び、リード線固定溝にモータリード線が嵌め込み固定されることにより当該モータリード線はばらつくことなく整理整頓されること、並びに、係合爪がモータの係合凹部に引っ掛かることによりモータからの配線カバーの脱落が防止されることから、モータリード線の金属接続部と他部材との絶縁や、モータリード線の整理整頓を確実に行うことができる。
【図面の簡単な説明】
【０００８】
【図１】図１（ａ）は本考案の一実施形態であるモータの配線カバーを装着したアウターロータ型モータの固定子の正面図、同図（ｂ）はＢ矢視図。
【図２】図２（ａ）は本考案の一実施形態である配線カバーの正面図、（ｂ）はその配線カバーの背面図、（ｃ）はその配線カバーの側面図である。
【図３】図３（ａ）はアウターロータ型モータの固定子の断面図、同図（ｂ）はＢ矢視図。
【考案を実施するための形態】
【０００９】
以下、本考案の実施形態について、願書に添付した図面を参照しながら説明する。
【００１０】
図１（ａ）は本考案の一実施形態であるモータの配線カバーを装着したアウターロータ型モータの固定子の正面図、同図（ｂ）はＢ矢視図である。図１（ａ）のアウターロータ型モータの固定子１は、モータブラケット２内面に立設した界磁鉄心からなるステータ３と、ステータ３の外周面に設けた複数（本例では４つ）のコア４と、これらのコア４に巻き付けたコイル５とを備えている。
【００１１】
モータブラケット２内面には、所定形状の配線パターン部６とこれに接続された複数のランド部６Ａを有する配線回路基板７が取り付けられており、取り付けた配線回路基板７は、その一部が図１（ａ）（ｂ）のようにモータのモータブラケット２からはみ出して外部に突出するようになっている。
【００１２】
前記ランド部６Ａは、前記のようにモータブラケット２から突出した配線回路基板７の部分（配線回路基板７の突出部Ｔ）に設けられており、このようなランド部６Ａには半田付け等によりモータリード線Ｌが接続されている。このモータリード線Ｌの接続は、モータの組立て完了後に行ってもよいし、組立て前に行われてもよい。また、配線回路基板７の配線パターン部６には各コイル５の端部５Ａを半田付け等で接続してある。さらに、配線回路基板７にはホール素子８を取り付けてあり、ホール素子８は図示しない回転子（マグネットロータ）の磁界を検知することにより回転子の位置を検出するセンサとして機能する。このホール素子８も半田付け等により配線回路基板７の配線パターン部６に接続してある。
【００１３】
図１の配線カバー９は、図２（ａ）（ｂ）又は（ｃ）に示した天板部９Ａと、天板部９Ａに略直角の背板部９Ｂと、背板部９Ｂ及び天板部９Ａに略直角の左右両側板部９Ｃ、９Ｃとを樹脂等の絶縁素材で一体成形した形状になっているが、この形状に限定されることはなく、必要に応じて当該形状を変形することもできる。
【００１４】
また、図１の配線カバー９は、図２（ａ）（ｂ）又は（ｃ）に示したように、配線回路基板７の突出部Ｔ正面から該配線回路基板７の突出部Ｔ両側縁に差込む差込溝９１と、前記ランド部６Ａに接続されることによって前記配線回路基板７の突出部Ｔに位置するモータリード線Ｌの金属接続部Ｐを覆う絶縁性カバー部９２と、モータリード線Ｌを嵌め込み固定するリード線固定溝９３と、モータのモータブラケット２外面に形成されている係合凹部２０に引っ掛かる係合爪９４とを備えている。
【００１５】
差込溝９１は図２（ｂ）のように左右両側板部９Ｃ、９Ｃの内面に形成してあり、これらの差込溝９１に配線回路基板７の突出部Ｔ両側縁を差込むことにより、本配線カバー９は配線回路基板７の突出部Ｔに着脱自在にワンタッチで取り付けることができる。
【００１６】
絶縁性カバー部９２は天板部９Ａからなり、前記のように配線カバー９を配線回路基板７の突出部Ｔに取り付けたとき、天板部９Ａの内面がモータリード線Ｌの金属接続部Ｐと対向することにより、モータリード線Ｌの金属接続部Ｐは、図１（ａ）のように絶縁性カバー部９２（天板部９Ａ）で完全に覆われ、他部材との接触が防止されるように構成してある。
【００１７】
リード線固定溝９３は図２（ｂ）のように背板部９Ｂの内面に設けてある。このリード線固定溝９３にモータリード線Ｌを嵌め込むことにより、当該モータリード線Ｌは、ばらつくことなく整理整頓されるように構成してある。特に、図１（ａ）（ｂ）の配線カバー９においては、図２（ｂ）のように、背板部９Ｂ内面に複数の凸部９０を一列に一体成形し、隣り合う２つの凸部９０間の隙間をリード線固定溝９３として利用する形態を採用したが、この形態以外の他の形態を採用してもよい。
【００１８】
係合凹部２０はモータブラケット２外面縁部に形成してあり、係合爪９４は天板部９Ａの縁部から延びたアームの先端に設けてある。そして、前記のように配線カバー９を配線回路基板７の突出部Ｔに取り付けたとき、図１（ａ）のように係合爪９４が係合凹部２０に引っ掛かることによってモータからの配線カバー９の脱落が防止される。
【００１９】
以上説明した本実施形態の配線カバー９にあっては、配線回路基板７の突出部Ｔ正面から該配線回路基板７の突出部Ｔ両側縁に差込溝９１を差込むことによって配線カバー９をモータのモータブラケット２に取り付けたとき、絶縁性カバー部８２（背板部９Ａ）がモータリード線Ｌの金属接続部Ｐを覆うことにより金属接続部Ｐへの他部材の接触が防止されること、及び、リード線固定溝９３にモータリード線Ｌが嵌め込み固定されることにより当該モータリード線Ｌはばらつくことなく整理整頓されること、並びに、係合爪９４がモータの係合凹部２０に引っ掛かることによりモータからの配線カバー９の脱落が防止されることから、モータリード線Ｌの金属接続部Ｐと他部材との絶縁や、モータリード線Ｌの整理整頓を確実に行うことができる。
【符号の説明】
【００２０】
１  固定子
２  モータブラケット
２０  係合凹部
３  ステータ
４  コア
５  コイル
５Ａ  コイルの端部
６  配線パターン部
６Ａ〜６Ｅ  ランド部
７  配線回路基板
８  ホール素子
９  配線カバー
９Ａ  天板部
９Ｂ  背板部
９Ｃ  側板部
９０  凸部
９１  差込溝
９２  絶縁性カバー部
９３  リード線固定溝
９４  係合爪
Ｌ  モータリード線
Ｐ  モータリード線の金属接続部
Ｔ  配線回路基板の突出部
【図１】
0003162280.tif 000003
【図２】
0003162280.tif 000004
【図３】
0003162280.tif 000005